(57)【特許請求の範囲】
【請求項１】
保水性基盤材、支持部材及び植栽用のカゴを有し、
該保水性基盤材の一面に該支持部材が配設され、
該カゴは、骨枠と該骨枠を覆う不織布で構成され、該保水性基盤材と相対する側に取付壁部を備え、該骨枠の一部は該取付壁部外へ露出して取付脚部となっており、
該カゴは該取付脚部を該保水性基盤材と該支持部材の間に挿入して該支持部材に支持され、該取付壁部の底部が該保水性基盤材と通水及び通根可能状態で相対するようになっている
ことを特徴とする緑化面用材。
【請求項２】
少なくとも該支持部材には、該カゴの該取付壁部の底部と対向する部分に、該保水性基盤材から該カゴへの通水と、該カゴ内に植栽した植物の根系を該保水性基盤材内へ伸張させるための通路が設けられている請求項１に記載の緑化面用材。
【請求項３】
該支持部材はプラスチック又は金属製のメッシュでその目が該カゴの取付脚部の挿通に供用されるようになっている請求項１又は２に記載の緑化面用材。
【請求項４】
該支持部材は帯状物の複数本で該保水性基盤材の立設状態で水平方向に平行に位置し、該帯状物はその長手方向に間隔をおいて該保水性基盤材との一体化部を備え、該一体化部間が該カゴの取付脚部の挿通に供用されるようになっている請求項１又は２に記載の緑化面用材。
【請求項５】
該帯状物はシートベルトの転用物である請求項４に記載の緑化面用材。
【請求項６】
該通路には通水透根性資材が挿通されている請求項２に記載の緑化面用材。
【請求項７】
該通水透根性資材は、樋状部材にウレタン、不織布等の多孔質材を充填して出来ている請求項６に記載の緑化面用材。
【請求項８】
該保水性基盤材は自立性を有しており、立設状態の上端部と下端部に、緑化面に上下方向に間隔を保って水平に並設された懸架部材のそれぞれと協働する被懸架部材を備えている請求項１から７の一つの項に記載の緑化面用材。
【請求項９】
該保水性基盤材は非自立性で枠により自立性を与えられており、該枠は立設状態の上端部と下端部に、緑化面に上下方向に間隔を保って水平に並設された懸架部材のそれぞれと協働する被懸架部材を備えている請求項１から７の一つの項に記載の緑化面用材。
【請求項１０】
該懸架部材は溝型レールで、該被懸架部材はフックとなっており、該溝型レールは各一方の袖片を該緑化面に取り付けられ、各他方の袖片は上側のフックの掛合用であると共に保水性基盤材を上下に配列した場合に上位の保水性基盤材の下側のフックの係合にも供用されるようになっている請求項８又は９に記載の緑化面用材。
【請求項１１】
該フックは基材の相対する側縁の互いに反対側の端部から該基材の同じ面側へ張出している請求項１０に記載の緑化面用材。
【請求項１２】
該保水性基盤材の少なくとも該一面に不織布が配設され、該支持部材は該不織布を介して該保水性基盤材に配設されている請求項１から１１の一つの項に記載の緑化面用材。
【発明の詳細な説明】
【技術分野】
【０００１】
本発明は緑化面用材に関し、保水性基盤材の一面に配設した支持部材に独立したカゴを支持させ、このカゴに植栽するようにしたものである。
【背景技術】
【０００２】
これまでの基盤造成型壁面緑化では、定められた場所に位置する同じ規格の植栽スペースに植物を植栽するものが多く、それ故に使用可能な植物も限定され、デザインが単調になりやすかった。
【先行技術文献】
【特許文献】
【０００３】
特許文献１（特開２００２−３３５７６５号公報）には、要約すると次の事項が開示されている。
（段落０００５：４行以下）上面に開口する入水口２１および下面に開口する排水口２２を有するケース２と、このケース２内に収容した培養土を含む植栽材３と、この植栽材３に植栽され前記ケース２の外側面に露出する緑化植物４、４、…を備えている（壁面緑化ユニット１）。
（段落００３８：３行以下）壁面緑化ユニット１、１…を、建造物外壁面Ｗに予め施工した緑化ユニット設置枠６に、それぞれの排水口２２が入水口２１と接続するように、順次差し込んで設置することにより壁面緑化を行う。
【０００４】
特許文献２（特開２００３−１６０９３８号公報）の「要約」には次の事項が開示されている。
（課題）傾斜面又は垂直面を緑化する場合に、根部の腐食による植物のはがれを防ぎ、雨、風、揺れ等による根鉢の土のこぼれを防止して安定した植生を維持する…。
（解決手段）傾斜又は垂直をなす緑化基盤１の植生緑化面２ａに、所定間隔で根鉢８を植生するための植付穴５が設けられ、それぞれの植付穴５は、植生緑化面２ａを傾斜状又は垂直状に設けた際に、根鉢８が上向きあるいは斜め上向きに植生される勾配部２ｂを有する緑化基盤１を形成して、傾斜状又は垂直状の取り付け面１０に取付ける。
【０００５】
特許文献３（特開２００９−１７１９５３号公報）には次の事項が開示されている。
（段落００６６）図１３及び図１４に示すように、保持体３４の縦フレーム３６及び横フレーム３７間に形成される各枡目に容器ユニット２０が配置されるように、多数の容器ユニット２０を保持体３４に設置する。この場合、図１５に示すように、前面部３８と後面部３９の横フレーム３７の部分に、容器ユニット本体１の凹状の掛止部２８、２９を掛止することで、容器ユニット２０を保持体３４に設置することができる。
【０００６】
【特許文献１】特開２００２−３３５７６５号公報
【特許文献２】特開２００３−１６０９３８号公報
【特許文献３】特開２００９−１７１９５３号公報
【発明の概要】
【発明が解決しようとする課題】
【０００７】
特許文献１に記載の発明は、ケース２の大きさ及び配置は緑化ユニット設置枠６により規制され、それぞれ自由度がない。
【０００８】
特許文献２に記載の発明は、緑化基盤１の植生緑化面２ａに所定間隔で根鉢８を植生するための植付穴５を設けるもので、植付穴５の位置即ち植物の植付位置は予め特定されており、これも自由度がない。
【０００９】
特許文献３に記載の発明は、容器ユニット２０を保持体３４の縦フレーム３６及び横フレーム３７間に形成される各枡目に設置するものである。容器ユニット２０の配置の自由度はあるが、容器ユニット２０の構成が複雑で、保持体３４も容器ユニット２０の凹状の掛止部２８、２９を掛止する横フレーム３７を前面部３８と後面部３９に架着する必要があり、これも複雑となっている。構造が複雑で、しかも容器ユニット２０の架着作業が厄介となっている。
【課題を解決するための手段】
【００１０】
(請求項１) 本発明にかかる緑化面用材は、保水性基盤材、支持部材及び植栽用のカゴを有している。該保水性基盤材の一面に該支持部材が配設される。該カゴは、骨枠と該骨枠を覆う不織布で構成され、該保水性基盤材と相対する側に取付壁部を備え、該骨枠の一部は該取付壁部外へ露出して取付脚部となっている。そして、該カゴは該取付脚部を該保水性基盤材と該支持部材の間に挿入して該支持部材に支持され、該取付壁部の底部が該保水性基盤材と通水及び透根可能状態で相対するようになっている。
【００１１】
緑化面は建物の壁、塀、法面等いろいろで、緑化を必要とされている面である。植栽は独立したカゴを使用するため、各種の寸法のカゴを用意することにより、植栽する植物の種類に適したカゴを採用でき、また、このカゴは保水性基盤材の一面に配設した支持部材に支持させるので、支持部材の位置に応じカゴを自由に、しかも該一面側で配置できる。従って、カゴの配置替えも容易で、植物の植え替え作業はカゴごと交換するか、又はカゴはそのままにして植物のみ交換すればよく、維持管理が容易である。市販のポット苗を現場で導入することもでき、この場合、圃場での養生期間を要しないため、設置に先立ってデザイン・植栽を行う必要がない。
【００１２】
緑化面全体に保水性基盤ユニットを取りつけた後、購入した植物の大きさや表裏の向きなど、周囲の建物や上下左右の植物のバランスを見ながら配植することができるため、デザインの自由度が高い。これまでの基盤造成型壁面緑化では、定められた場所に位置する同じ規格の植栽スペースに植物を植栽するものが多く、それ故に使用可能な植物も限定され、デザインが単調になりやすかった課題が解決されている。
【００１３】
（請求項２）該支持部材には該カゴの取付壁部の底部と対向する部分に、該保水性基盤材から該カゴへの通水と、該カゴ内に植栽した植物の根系を該保水性基盤材内へ伸長させるための通路が設けられていてもよい。
【００１４】
（請求項３）該支持部材はプラスチック又は金属製のメッシュで、その目が該カゴの取付脚部の挿通に供されるようになっていてもよい。
【００１５】
（請求項４）該支持部材は帯状物の複数本で該保水性基盤材の立設状態で水平方向に平行に位置し、該帯状物はその長手方向に間隔をおいて該保水性基盤材との一体化部を備え、該一体化部間が該カゴの該脚部の挿通に供用されるようになっていてもよい。
【００１６】
（請求項５）該帯状物はシートベルトの転用物であってもよい。
【００１７】
（請求項６）該通路には通水透根性資材が挿通されていてもよい。該通水透根性資材を該保水性基盤材から該カゴにかけて下り勾配の配置とすると、雨水や灌水を該保水性基盤材から該カゴに誘導し易くなって望ましい。
【００１８】
（請求項７）該通水透根性資材は、樋状部材にウレタン、不織布等の多孔質材を充填して出来ていてもよい。
【００１９】
（請求項８）該保水性基盤材は自立性を有しており、立設状態の上端部と下端部に、緑化面に上下方向に間隔を保って水平に並設された懸架部材のそれぞれと協働する被懸架部材を備えていてもよい。
【００２０】
（請求項９）該保水性基盤材は非自立性で枠により自立性を与えられており、該枠は立設状態の上端部と下端部に、緑化面に上下方向に間隔を保って水平に並設された懸架部材のそれぞれと協働する被懸架部材を備えていてもよい。
【００２１】
（請求項１０）該懸架部材は溝型レールで、該被懸架部材はフックとなっており、該溝型レールは各一方の袖片を該緑化面に取り付けられ、各他方の袖片は上側のフックの掛合用であると共に保水性基盤材を上下に配列した場合に上位の保水性基盤材の下側のフックの係合にも供用されるようになっていてもよい。
【００２２】
（請求項１１）該フックは基材の相対する側縁の互いに反対側の端部から該基材の同じ面側へ張出していてもよい。
【００２３】
（請求項１２）該保水性基盤材の少なくとも該一面に不織布が配設され、該支持部材は該不織布を介して該保水性基盤材に配設されていてもよい。
【発明の効果】
【００２４】
本発明に係る緑化面用材によれば、保水性基盤材の一面に支持部材が配設され、該支持部材に植栽用のカゴが支持されるようになっているので、植栽する植物の種類に適した各種の寸法のカゴを採用でき、カゴの配置替えも容易で、植物の植え替え作業はカゴごと交換するか又はカゴはそのままにして植物のみ交換すればよく維持管理が容易で、市販のポット苗を現場で導入すれば、圃場での養生期間を要しないため、設置に先立ってデザイン・植栽を行う必要がなく、緑化面全体に保水性基盤を取りつけた後でも、購入した植物の大きさや表裏の向き等を、周囲の建物や上下左右の植物のバランスを見ながら配植することができるため、デザインの自由度が高い。
【図面の簡単な説明】
【００２５】
【図１】本発明にかかる緑化面用材の具体例を使用状態で示す正面図である。
【図２】同右側面図である。
【図３】本発明にかかる緑化面用材の別の具体例を使用状態で示す正面図である。
【図４】同右側面図である。
【図５】本発明にかかる緑化面用材の更に別の具体例を示す正面図である。
【図６】カゴの具体例を示す側面図である。
【図７】カゴが取り付いている部分の右側面図である。
【図８】カゴ３が取り付いている部分での通水透根性資材２７と通路２６との関連を示す部分切断面図で、支持部材２に通路２６、カゴ３に通路２６ａ、保水性基盤材１に通路２６ｂが設けられている場合である。
【図９】同平面図で、通水透根性資材２７の設置状態を示すために保水性基盤材１、支持部材２及びカゴ３の各一部が切断されている。
【図１０】通水透根性資材２７が２個設けられた場合である。
【図１１】メッシュ２４に設けられた通路２６の一例であるスリット２８を示す正面図である。
【図１２】メッシュ２４に設けられた通路２６の別の例である生分解性膜２９を示す正面図である。
【図１３】カゴを懸架する別のやり方で使用される支持枠３６とカゴ３’を示す斜面図である。
【発明を実施するための形態】
【００２６】
以下に、本発明の実施の形態を、図面を参照して、説明する。
（請求項１）図１及び図２で、保水性基盤材１はその一面１１に支持部材２が配設される。そして、この支持部材２に植栽用のカゴ３が支持されるようになっている。
【００２７】
この保水性基盤材１は緑化面４に沿って設けられる。緑化面４は建物の壁、塀、法面等いろいろで、緑化を必要とされている面である。植栽は独立したカゴ３を使用するため、各種の寸法のカゴを用意すれば、植栽する植物Ｐの種類に適合させることができる。
【００２８】
このカゴ３は図６及び図７に示すように、骨枠３４とこの骨枠３４を覆う不織布３５で構成され、保水性基盤材１と相対する側に取付壁部３１を備える。この骨枠３４の一部は取付壁部３１外へ露出して支持部材２に対する取付脚部３３となっている。
カゴ３の重量は軽く、しかも強度は十分で、その取付脚部３３を保水性基盤材１と支持部材２の間に挿入することにより支持部材２に支持され、取付壁部３１の底部３２が保水性基盤材１と通水及び通根可能状態で相対する。取外す際は、取付脚部３３を保水性基盤材１と支持部材２の間から引き抜けばよい。
【００２９】
また、このカゴ３は保水性基盤材１の一面１１に配設した支持部材２に支持させるので、支持部材２の位置に応じてカゴ３を自由に配置できる。従って、カゴ３の配置替えも容易で、植物Ｐの植え替え作業はカゴ３ごと交換するか、又はカゴ３はそのままにして植物Ｐのみを交換すればよく、維持管理が容易である。市販のポット苗を現場で導入すれば圃場での養生期間を要しないため、設置に先立ってデザイン・植栽を行う必要がない。
【００３０】
緑化面４に保水性基盤材１を取り付けた後で購入した植物Ｐの大きさや表裏等、周囲の建物や上下左右の植物のバランスを見ながら配植することができるため、デザインの自由度が高い。従来の基盤造成型壁面緑化では、定められた場所に位置する同じ規格の植栽スペースに植物を植栽するものが多く、使用可能な植物も限定され、デザインが単調になりやすかった課題も解決されている。
【００３１】
（請求項２）図６と図７で、少なくとも支持部材２にはカゴ３の取付壁部３１の底部３２と対向する部分に、保水性基盤材１からこのカゴ３への通水と、カゴ３内に植栽した植物Ｐの根系を保水性基盤材１内へ伸長させるための通路２６が設けられている。
この場合、保水性基盤材１内を流下する雨水や灌水を、通路２６を通してカゴ３内へ浸透させることができ、カゴ３内の植生基材Ｍに植え込んだ植物Ｐが成長してその根系が張り出しても、この通路２６を通って保水性基盤材１内へ自由に伸長させられる。これらの図面では取付壁部３１と保水性基盤材１との間に隙間が見られるが、実際はほとんど接触状態で、通水や根系の張出は可能となる。
【００３２】
通路２６は図１１に示すようにスリット２８としてもよく、又は、図１２のように生分解性膜２９で被覆して、植生初期の段階でカゴ３に入れた植生基材Ｍが漏出するのを防ぎ、時間の経過による生分解性膜２９の分解に伴って徐々に通水や根系の伸張をなすようにしてもよい。
【００３３】
（請求項３）図５で、支持部材２はプラスチック又は金属製のメッシュ２４で、その目２５がカゴ３の取付脚部３３の挿通に供されるようになっている。
この場合、メッシュ２４の目２５の選択使用で、予め定まった場所ではない任意の場所にカゴ３を引っ掛けて設置することができ、植栽配置の自由度を上げられる。
【００３４】
（請求項４）図１〜図４で、支持部材２は帯状物２１の複数本で保水性基盤材１の立設状態で水平方向に平行に位置し、帯状物２１はその長手方向に間隔をおいて保水性基盤材１との一体化部２２を備え、これらの一体化部２２間がカゴ３の取付脚部３３の挿通に供用されるようになっている。
この場合、カゴ３の配置位置や数を自在にでき、サイズの異なるカゴ３の採用も自由なので導入可能な根鉢の適応範囲が広がり、大きなカゴ３の場合は複数の植物Ｐの向きを変えて植栽するなど、配植やデザインの自由度が高く、カゴ３の数を多くすることにより緻密な緑化面を提供できる。なお、帯状物２１は上下方向に間隔を保って、又は間隔なしに位置させてもよい。
【００３５】
（請求項５）帯状物２１はシートベルト２３の転用物となっている。
この場合、シートベルト２３は強度が十分なのでカゴ３の重量が大きくなっても切断せず、耐久性に優れるので長期にわたって供用可能で、非伸張性なのでカゴ３の重量により垂れ下がることもなく、シートベルト２３自体も生産余剰品や廃物の利用が可能となる。
【００３６】
（請求項６）図８〜図１０で、通路２６には通水透根性資材２７が挿通されている。
この場合、通水や根系の張出がこの通水透根性資材２７を介して容易かつ確実に行われる。図示の例では、カゴ３の底部３２に通路２６aが設けられ、保水性基盤材１に通路２６ｂが設けられているが、こうすると通水透根性資材２７の挿通が一層し易くなる。
【００３７】
（請求項７）通水透根性資材２７は、樋状部材２７ａにウレタン、不織布等の多孔質材２７ｂを充填して出来ている。
この場合、通水透根性資材２７は樋状部材２７ａにより保形され、通路２６、２６a、２６ｂ等に挿通する作業が楽で、水や根系は多孔質材２７ｂの内部を通って反対側へ容易に移動できる。
【００３８】
（請求項８）図１及び図２で、保水性基盤材１は自立性を有しており、立設状態の上端部と下端部に、緑化面４に上下方向に間隔を保って水平に並設された懸架部材５のそれぞれと協働する被懸架部材６を備えている。
この場合、上端部の懸架部材６を上側の懸架部材５と協働させ、下端部の被懸架部材６を下側の懸架部材５と協働させるだけで、保水性基盤材１を緑化面４に配設でき、構造を簡単にできる。保水性基盤材１はプレス成型が一般的であるが、型による流し込み成形でもよい。
【００３９】
（請求項９）図３及び図４で、保水性基盤材１は非自立性で枠７により自立性を与えられており、この枠７は立設状態の上端部と下端部に、緑化面４に上下方向に間隔を保って水平に並設された懸架部材５のそれぞれと協働する被懸架部材６を備えている。
この場合、保水性基盤材１に柔らかいものを採用しても枠７により保形され、保水量の確保も容易で、上端部と下端部の被懸架部材６を上下の懸架部材５と協働させるだけで枠７、従って保水性基盤材１を緑化面４に配設でき、保水性基盤材１の緑化面４に対する配設が一層安定する。
【００４０】
保水性基盤材１は枠７内の空間に嵌め込むだけでもよいが、ずれ下がりの恐れのある場合は、保水性基盤材１と枠７を適当な箇所で結束し、また枠７の底面の開口が広い場合は、保水性基盤材１の脱落をアングルＬや棒材で塞げばよい。
【００４１】
なお、枠７が、前枠部７１と後枠部７２を連結部材７３で一体化して構成されるものの場合は、保水性基盤材１の厚みＴ（図２参照）を前枠部７１と後枠部７２間の内寸ｔ（図４参照）より少し大きくし、又はその外寸Ｗ（図１参照）を前枠部７１又は後枠部７２の内寸ｗ（図３参照）より少し大きくして、前枠部７１と後枠部７２間に配し、前枠部７１と後枠部７２を連結部材７３で一体化すれば、保水性基盤材１は前枠部７１と後枠部７２に圧止される。上側や下側の被懸架部材６は後枠部７２に設けられる。
【００４２】
（請求項１０）図１〜図５で、懸架部材５は溝型レール５１で、被懸架部材６はフック６１となっており、この溝型レール５１は各一方の袖片５２を緑化面４に取り付けられ、各他方の袖片５３は上側のフック６１の掛合用であると共に保水性基盤材１を上下に配列した場合に上位の保水性基盤材１の下側のフック６１の係合にも供用されるようになっている。
この場合、保水性基盤材１の緑化面４への配設を、上側の溝型レール５１の他方の袖片５３に上側のフック６１を掛合し、下側の溝型レール５１の他方の袖片５３に下側のフック６１を係合させるだけで行え、保水性基盤材１は上下の溝型レール５１、５１間に保定されるので、風圧や振動を受けても簡単には外れず、安定する。
【００４３】
（請求項１１）フック６１は基材６２の相対する側縁の互いに反対側の端部からこの基材６２の同じ面側へ張出している。
この場合、フック６１を保水性基盤材１や枠７に取付けるのが容易で、上側と下側のフック６１は互いに位相がずれているので、保水性基盤材１を上下に連続して配置しても、フック６１同士が干渉せず、整列配置が可能となる。
【００４４】
（請求項１２）図４で、保水性基盤材１の少なくとも一面１１に不織布８が配設され、支持部材２はこの不織布８を介して保水性基盤材１に配設されている。
この場合、保水性基盤材１が支持部材２の取付けに安定性を欠く材質の場合でも、不織布８が補強の役目を果たし、支持部材２が保水性基盤材１から外れたり、脱落する恐れがなく、透水性、親水性に優れる不織布８を採用することにより、植生上の支障も除ける。
【００４５】
なお、図１３は、カゴを支持部材２に懸架する別のやり方で使用される支持枠３６を示してある。この場合、カゴ３’には取付脚部を設けず、支持枠３６に取付脚部３３’を設ける。この支持枠３６にカゴ３’収容し、この支持枠３６を取付脚部３３’で支持部材２に懸架する。勿論、先に支持枠３６を支持部材２に懸架し、この支持部材２にカゴ３’を入れ込んでもよい。このやり方は、通常の大きさのカゴにも適用できるが、重量が重くなる大きなカゴの場合に好適である。
【符号の説明】
【００４６】
１                      保水性基盤材
２                      支持部材
２１                    帯状物
２２                    一体化部
２３                    シートベルト
２４                    メッシュ
２５                    目
２６、２６ａ、２６ｂ    通路
２７                    通水透根性資材
２７ａ                  樋状部材
２７ｂ                  多孔質材
２８                    スリット
２９                    生分解性膜
３、３’                カゴ
３１                    取付壁部
３２                    底部
３３、３３’            取付脚部
３４                    骨枠
３５                    不織布
３６                    支持枠
４                      緑化面
５                      懸架部材
５１                    溝型レール
５２                    一方の袖片
５３                    他方の袖片
６                      被懸架部材
６１                    フック
６２                    基材
７                      枠
７１                    前枠部
７２                    後枠部
７３                    連結部材
Ｔ                      厚み
ｔ                      内寸
Ｗ                      外寸
ｗ                      内寸
８                      不織布
Ｐ                      植物
Ｌ                      アングル
Ｍ                      植生基材  
【図１】
0005633964.tif 000002
【図２】
0005633964.tif 000003
【図３】
0005633964.tif 000004
【図４】
0005633964.tif 000005
【図５】
0005633964.tif 000006
【図６】
0005633964.tif 000007
【図７】
0005633964.tif 000008
【図８】
0005633964.tif 000009
【図９】
0005633964.tif 000010
【図１０】
0005633964.tif 000011
【図１１】
0005633964.tif 000012
【図１２】
0005633964.tif 000013
【図１３】
0005633964.tif 000014